(57)【要約】【課題】  オムツ交換と便器が同時使用できないものの、トイレブース内の面積を広くすることなく設置可能で、かつ、オムツ交換と便器が使用可能なこと。【解決手段】  便器２の上に載置される便座３を有する便器構成体１０と、便器構成体１０の上面に載置可能であり、便器構成体１０に軸支した支軸１１を中心に回動すると共に、便器構成体１０の上面に載置した状態でその上面に幼児が乗れるだけの機械的強度及び面積を持ち、便蓋としても機能する幼児乗せ板４を具備する。幼児乗せ板４は、所定の便鉢１のサイズからなる便器２や、便器２の上に載置される便座を有する便器構成体１０よりも若干大きなサイズになるが、既存のトイレブース内の面積を広くすることなく設置可能であり、また、オムツ交換と便器２が使用可能となる。【選択図】    図１
2007054289.tif 000002
【特許請求の範囲】
【請求項１】
所定の便鉢のサイズからなる便器及び前記便器の上に載置される便座を有する便器構成体と、
前記便器構成体の上面に載置可能であり、前記便器構成体に軸支した支軸を中心に回動自在とすると共に、前記便器構成体の上面に載置した状態でその上面に幼児が乗れるだけの機械的強度及び面積を持ち、便蓋としても機能する幼児乗せ板と
を具備することを特徴とする簡易型オムツ交換ベッド。
【請求項２】
前記幼児乗せ板は、中央が低く、両側が高く形成されていることを特徴とする請求項１に記載の簡易型オムツ交換ベッド。
【請求項３】
前記幼児乗せ板には、ヒータが埋設され、少なくとも中央が暖房されていることを特徴とする請求項１または請求項２に記載の簡易型オムツ交換ベッド。
【請求項４】
前記便器構成体は、前記便器及び便座に加えて前記便器に取り付けられて人体局部の洗浄に使用する人体局部洗浄機構を具備することを特徴とする請求項１乃至請求項３の何れか１つに記載の簡易型オムツ交換ベッド。
【発明の詳細な説明】
【技術分野】
【０００１】
本発明は、乳幼児のオムツ交換に使用するオムツ交換ベッドに関するもので、トイレに設置された便座装置と一体となったベッドからなる簡易型オムツ交換用ベッドに関するものである。
【背景技術】
【０００２】
従来の簡易型のオムツ交換ベッドとしては、特許文献１に掲載の技術が公知である。即ち、台座と前記台座の上部に載置固定するクッションマットと拘束用ベルトより成るオムツ交換用ベッドにおいて、前記クッションマットの略中央部に、滑り止めを設けたことを特徴とするものである。
この従来のオムツ交換ベッドは、オムツ交換のために幼児を寝かせた際に、幼児が足による蹴り上げ、ずり上がり、寝返り等を行おうとしても、クッションマットの足が掛かる位置は適度に滑りやすい素材で構成されているために力がかかりにくく、幼児の腰及び背中は滑り止め部に載っているため、幼児を安全確実に拘束することができる。また、前記クッションマットの略中央部に、滑り止めを設けたため、幼児の寝かせ方に左右方向性の指定がなく、幼児を寝かせる向きを間違えるおそれがない。更に、ベッドを薄型、簡易に構成できるという特徴を有する。
【０００３】
また、台座と前記台座の上部に載置固定するクッションマットと拘束用ベルトより成るオムツ交換用ベッドは、前記拘束用ベルトの近傍のクッションマット表面に滑り止めを設けたものであるから、オムツ交換のために幼児を寝かせた際に、幼児が足による蹴り上げ、ずり上がり、寝返り等を行おうとしても、ベルトの近傍のクッションマット表面に滑り止めが設けられているために、拘束用ベルトのみで拘束する場合と比較して拘束用ベルトによる拘束がより確実になり、幼児を安全確実に拘束することができる。さらに、ベッドを薄型、簡易に構成できる。そして、台座と前記台座の上部に載置固定するクッションマットと拘束用ベルトより成るオムツ交換用ベッドにおいて、前記拘束用ベルトの裏面側に滑り止めを設けたものでは、オムツ交換のために幼児を寝かせた際に、幼児が足による蹴り上げ、ずり上がり、寝返り等を行おうとしても、拘束用ベルトの裏側面に滑り止めが設けられているため、滑り止めの設けられていない場合と比較して拘束用ベルトによる拘束がより確実になり、幼児を安全確実に拘束できる等の特徴を有する。
【特許文献１】特開２００２−３４７３４
【発明の開示】
【発明が解決しようとする課題】
【０００４】
ところが、特許文献１に掲載の簡易型のオムツ交換ベッドは、トイレブース内に設置した場合、便器以外の器具を設置するスペースはきわめて狭いから、オムツ交換ベッドを薄型とし、かつ、オムツ交換ベッドは使用時にのみベッドを開き、使用しないときには閉じて壁面に密着する構造としている。
それでも、通常は、特許文献１に掲載の簡易型のオムツ交換ベッドを設置するスペースを考慮して、トイレブースの内面積を広くしている。ところが、既設のトイレブースには、特許文献１に掲載の簡易型のオムツ交換ベッドを設置するスペースが確保できないために、オムツ交換ベッドと便器とを同時使用することができない。また、既設のトイレブースに取付けを行うには、建築工事が必要となり、設置コストが高くなる。
【０００５】
そこで、本発明は、オムツ交換と便器が同時使用できないものの、トイレブース内の面積を広くすることなく設置可能で、かつ、オムツ交換と便器が使用可能な簡易型オムツ交換ベッドの提供を課題とするものである。
【課題を解決するための手段】
【０００６】
請求項１の簡易型オムツ交換ベッドは、所定の便鉢のサイズからなる便器及び前記便器の上に載置される便座を有する便器構成体と、前記便器構成体の上面に載置可能であり、前記便器構成体に軸支した支軸を中心に回動すると共に、前記便器構成体の上面に載置した状態でその上面に幼児が乗れるだけの機械的強度及び面積を持ち、便蓋としても機能する幼児乗せ板とを具備するものである。
ここで、上記便器構成体は、少なくとも、所定の便鉢のサイズからなる便器及び前記便器の上に載置される便座からなるものであるが、便鉢の形状及びサイズに拘束されるものではなく、また、便座の形状及びサイズに拘束されるものでもない。特に、上記便器構成体は、便器及び便座の他に人体局部の洗浄に使用する人体局部洗浄機構及び／またはタンク等が配設されるものである。
また、上記幼児乗せ板は、前記便器構成体の支軸を中心に回動し、便蓋のように便座または便器の上面を開閉自在として便蓋としての機能を有するものである。また、前記便器構成体の上面に載置した状態で、その上面に幼児が乗れるだけの機械的強度及び面積を有するものである。
【０００７】
請求項２の簡易型オムツ交換ベッドの前記幼児乗せ板は、中央が低く、両側が高く形成されているものである。この中央が低く、両側が高くとは、連続的に形成されていてもよいし、不連続で急激的に変化する構造であってもよい。この高さの違いは、幼児の安全を問うもののみではなく、オムツ交換時に幼児の持ち物、親の持ち物が落下しないようにするものである。したがって、必ずしも、幼児の安全性のために障害となる高さまで両側の高さを形成する必要がない。また、中央を低くすることにより、安定感が高くなるが、更に、より安定性をよくするために滑り止めを設けることもできる。
【０００８】
請求項３の簡易型オムツ交換ベッドの前記幼児乗せ板には、ヒータが埋設され、少なくとも中央が暖房されているものである。このヒータの埋設は、前記幼児乗せ板の全面に限られるものではなく、中央部分の面のみとすることもできる。しかし、前記幼児乗せ板の全面または中央部の面の比較的広い面積にヒータを埋設すると、幼児に冷たい思いをさせなくなるのみではなく、第三者の手洗い水等が前記幼児乗せ板の上に落ちても、それを気化してくれる機能を持つことができる。
【０００９】
請求項４の簡易型オムツ交換ベッドの前記便器構成体は、前記便器及び便座に加えて前記便器に取り付けられて人体局部の洗浄に使用する人体局部洗浄機構を具備するものである。この人体局部洗浄機構は、温水または冷水を問うものではなく、また、シャワーノズル及び／またはビデノズルの機能の有無も問うものではない。
【発明の効果】
【００１０】
請求項１にかかる簡易型オムツ交換ベッドは、所定の便鉢のサイズからなる便器及び前記便器の上に載置される便座を有する便器構成体と、前記便器構成体の上面に載置可能であり、前記便器構成体に軸支した支軸を中心に回動すると共に、前記便器構成体の上面に載置した状態でその上面に幼児が乗れるだけの機械的強度及び面積を持ち、便蓋としても機能する幼児乗せ板とを具備するものである。
したがって、幼児乗せ板は、所定の便鉢のサイズからなる便器や、前記便器の上に載置される便座を有する便器構成体よりも若干大きなサイズになるが、既存のトイレブース内の面積を広くすることなく設置可能であり、また、オムツ交換と便器が使用可能となる。また、便座の温度制御においては、幼児乗せ板が熱負荷として機能し、熱エネルギーを無駄にすることなく、有効的な利用が可能となる。そのため、幼児乗せ板にヒータを埋設しても、しなくても、適当な温度を維持することができる。
【００１１】
請求項２の簡易型オムツ交換ベッドの前記幼児乗せ板は、中央が低く、両側が高く形成されているものであるから、請求項１の効果に加えて、オムツ交換時に幼児の持ち物、親の持ち物が落下しないようにすることができ、かつ、幼児の安全性を高めることができる。また、幼児乗せ板までの高さを低くできるから、幼児の安全性を高めることができる。
【００１２】
請求項３の簡易型オムツ交換ベッドの前記幼児乗せ板には、ヒータが埋設され、少なくとも中央が暖房されているものであるから、請求項１または請求項２の効果に加えて、幼児に冷たい思いをさせなくて済むばかりでなく、第三者による手洗い水等が前記幼児乗せ板の上に落ちても、それを気化してくれる。
【００１３】
請求項４の簡易型オムツ交換ベッドの前記便器構成体は、前記便器及び便座に加えて前記便器に取り付けられて人体局部の洗浄に使用する人体局部洗浄機構を具備するものであるから、請求項１乃至請求項３の何れか１つに記載の効果に加えて、便器及び便蓋以外の構成によって左右されることなく使用でき、既存のトイレの機能を損なうことがない。
【発明を実施するための最良の形態】
【００１４】
次に、本発明の実施の形態の簡易型オムツ交換ベッドについて、図を用いて説明する。なお、本実施の形態２以降において、実施の形態１と同一記号または同一符号は、上記実施の形態１と同一または相当する構成部分を示すものであるから、その詳細な説明を省略し、主に相違点のみ説明する。
［実施の形態１]
【００１５】
図１は本発明の実施の形態１の簡易型オムツ交換ベッドを示す側面図、図２は本発明の実施の形態１の簡易型オムツ交換ベッドを示す平面図である。図３は本発明の実施の形態１の簡易型オムツ交換ベッドの切断線Ａ−Ａによる断面図である。
図１乃至図３において、便器２は公知または専用のもので、所定の便鉢１のサイズからなる。便器２の上には便座３が便器２直接的または間接的に取り付けられ、便器２に対して回動自在に配設されている。これら、少なくとも、便器２及び便座３は便器構成体１０を構成している。この便器構成体１０としては、便座３の形状及びサイズに拘束されるものでもなく、かつ、便器２及び便座３の他に人体局部の洗浄に使用する収納ボックス５に格納された図示しない人体局部洗浄機構８及びそのコントローラ６、水洗用タンク７等が配設され、温水洗浄便座装置との構成を有するか否かに左右されるものでもない。コントローラ６は、シャワーノズル及びビデノズルによる洗浄制御のほか、温風ファンによる洗浄後の乾燥、便座ヒータ３ａによる便座３の暖房、後述する脱臭装置によるトイレ室内の消臭等の洗浄に関連しない非洗浄関連機能を備えている。これら各機能は、主としてコントローラ６に設けられたスイッチ類が操作されることにより、或いは、トイレ室の壁面に着脱自在に装着されたリモコン装置を操作することにより行われる。コントローラ６に設けられたスイッチ類は、温水スイッチ、便座スイッチ、乾燥スイッチ、ビデ洗浄スイッチ、おしり洗浄スイッチ、脱臭スイッチ等を含むものである。
【００１６】
便器構成体１０の便座３の上面には、便器構成体１０に軸支した支軸１１を中心に回動すると共に、便器構成体１０の上面に載置した状態でその上面に幼児が乗れるだけの機械的強度及び面積を持ち、便蓋としても機能する幼児乗せ板４を有している。
この幼児乗せ板４は、便器構成体１０の支軸１１を中心に回動し、便蓋のように便座３または便器２の上面を開閉自在である。また、便器構成体１０の上面に載置した状態で、その上面に幼児が乗れるだけの機械的強度及び面積を有するものである。
幼児乗せ板４は、具体的には、図３に示すように、中央部分の底部４ｂが低く、両側のエッジ４ａが高く形成されている。この中央の底部４ｂが低く、両側のエッジ４ａが高くとは、連続的に形成されていてもよいし、不連続で急激的に変化する構造でもよい。しかし、幼児の足による蹴り上げ、ずり上がり等を行おうとしても、エッジ４ａの足が掛かる位置は適度に滑りやすい構造であることが望ましい。なお、
エッジ４ａの内部には発泡材料４ｄが充填されている。
【００１７】
底部４ｂと両側のエッジ４ａとの高さの違いは、幼児の安全を問うばかりでなく、オムツ交換時に幼児の持ち物、親の持ち物が転がって落下しないようにするものである。また、幼児の安全性のために障害となる高さまで両側の高さを形成するものでないから、中央を低くすることにより、安定感を高くし、かつ、簡単に幼児が外力によって滑ることのないように、その底部４ｂの上面には滑り止め４ｃを設けている。勿論、底部４ｂと両側のエッジ４ａとの高さの違い、表面処理によっては、滑り止め４ｃを廃止することができる。
【００１８】
また、本実施の形態では、底部４ｂを取り囲む周囲の４辺に所定の高さのエッジ４ａを形成している。この所定の高さのエッジ４ａは、後述する図６乃至図８の実施の形態に示すように、トイレの前側（トイレの扉側）、或いはトイレの前後方向側（トイレの扉と反扉側）を省略することもできる。しかし、底部４ｂを取り囲む周囲の４辺に所定の高さのエッジ４ａを形成することにより、幼児乗せ板４の上に幼児を座らせたり、立たせたりすることがし難くなるから、親が予測できない使用を行う可能性が少なくなる。特に、水洗用タンク７側のエッジ４ａ側は、便器構成体１０の支軸１１を中心に底部４ｂが回動するから、幼児の髪、衣類の紐類が入り難いように設けることが好ましい。
【００１９】
そして、中央を低く底部４ｂのみに滑り止め４ｃを設けることにより、簡単に幼児が外力によって滑ることのないようにし、幼児が足による蹴り上げ、ずり上がり、寝返り等を行おうとしても、エッジ４ａの足が掛かる位置は適度に滑りやすい素材で構成されているから外力がかかり難く、幼児の腰及び背中は滑り止め４ｃに載っているため、幼児を安全確実に留めることができる。
しかし、前方のエッジ４ａの一部には、底部４ｂの上面まで窪ませた凹部溝４ｅを形成するのが望ましい。凹部溝４ｅは、幼児乗せ板４の底部４ｂを汚した場合の水洗い、濡れ雑巾による清掃等が容易になる。
【００２０】
更に、本実施の形態の幼児乗せ板４には、ヒータ９が埋設され、少なくとも中央が暖房されるようにしているが、特に、便座３には便座ヒータ３ａが埋設されている実施品が増加しているから、図３のように、便座３に埋設された便座ヒータ３ａの温度は、便座３を介してから幼児乗せ板４の底部４ｂに伝達される。したがって、幼児乗せ板４に対してヒータ９の埋設を省略することができるが、埋設する場合でもその中央部付近のみとすることができる。勿論、このヒータ９の埋設は、幼児乗せ板４の全面に埋設することもできる。特に、幼児乗せ板４の全面または中央部の比較的面積が広い範囲にヒータ９を埋設すると、幼児に冷たい思いをさせなくなるのみではなく、手洗い水等が幼児乗せ板４の上に落ちても、それを気化してくれる機能を持つことができる。
【００２１】
なお、本実施の形態の簡易型オムツ交換ベッドの便器構成体１０は、少なくとも便器２及び便座３を具備し、更に、便器２及び便座３に加えて便器２に取り付けられて人体局部の洗浄に使用する人体局部洗浄機構８及びそのコントローラ６を具備することもできるが、本発明を実施する場合には、人体局部洗浄機構８については、温水または冷水を問うものではなく、かつ、シャワーノズル、ビデノズルの有無も問うものではない。
【００２２】
［実施の形態２]
図４は本発明の実施の形態２の簡易型オムツ交換ベッドを示す平面図、図５は本発明の実施の形態２の簡易型オムツ交換ベッドの切断線Ｂ−Ｂによる断面図である。
幼児乗せ板４０は、具体的には、図４及び図５に示すように、中央の底部４０ｂが低く、両側のエッジ４０ａが若干高く形成されている。この中央の底部４０ｂが低く、両側のエッジ４０ａが高くとは、連続的に形成されていてもよいし、不連続で急激的に変化する構造でもよい。底部４０ｂと両側のエッジ４０ａとの高さの違いは、オムツ交換時に幼児の持ち物、親の持ち物が転がって落下しないようにするものである。特に、幼児の安全性のために障害となる高さまで両側の高さを形成するものでないから、中央を低くすることにより、安定感が増し、かつ、簡単に幼児が外力によって滑ることのないように、表面に滑り止め４０ｃを設けている。勿論、底部４０ｂと両側のエッジ４０ａとの高さの違いによっては、滑り止め４０ｃを廃止することもできる。
【００２３】
この幼児乗せ板４０は、平板状に近いから家庭でのオムツ交換と違和感のない使用となる。また、幼児乗せ板４０の中には発泡体が収容されていて、幼児乗せ板４０の開閉時の衝撃音をなくし、また、その断熱効果によって、幼児乗せ板４０の上面に寝させた幼児に冷たさを与えないようにするものである。勿論、幼児乗せ板４０には、ヒータ９が埋設され、少なくとも中央が暖房されるようにするのが望ましいが、それを省略することもできる。
【００２４】
［実施の形態３]
図６は本発明の実施の形態３の簡易型オムツ交換ベッドを示す平面図、図７は本発明の実施の形態３の簡易型オムツ交換ベッドを示す側面図、図８は本発明の実施の形態３の簡易型オムツ交換ベッドの切断線Ｃ−Ｃによる断面図である。
幼児乗せ板５０は、具体的には、図６乃至図８に示すように、中央の底部５０ｂが低く、両側のエッジ５０ａが高く形成されている。この中央の底部５０ｂが低く、両側のエッジ５０ａが高くとは、連続的に形成されていてもよいし、不連続で急激的に変化する構造でもよい。底部５０ｂと両側のエッジ５０ａとの高さの違いは、幼児がオムツ交換の最中に落下することがないように構成している。それ以外にも、オムツ交換時に幼児の持ち物、親の持ち物が転がって落下しないようにするものである。特に、幼児の安全性のために障害となる高さまで両側の高さを形成するものであるから、中央を低くすることにより、安定感を増し、かつ、簡単に幼児が外力によって滑ることのないようにしている。
【００２５】
この幼児乗せ板５０は、平板を両側で折り曲げた形状となっているから、便座３側の開放時には、水洗用タンク７の両側が両側のエッジ５０ａ内に位置するように構成している。また、幼児乗せ板５０の中には発泡体が収容されていて、幼児乗せ板５０の開閉時の衝撃音をなくし、また、幼児乗せ板５０の上面に寝させた幼児に冷たさを与えないようにしている。勿論、幼児乗せ板５０には、図示しないヒータが埋設され、少なくとも中央が暖房されるようにするのが望ましい。
【００２６】
図６乃至図８に示す実施の形態３の幼児乗せ板５０は、平板を両側で折り曲げた形状となっているが、本発明を実施する場合には、中央の底部５０ｂが低く、両側のエッジ５０ａが高く２部材で形成することもできる。また、必要に応じて、中央の底部５０ｂには金属からなるインサートを埋設し、図示しない便座ヒータ３ａからの熱を効率よく分散させるように構成するのが好適である。
【００２７】
上記実施の形態の簡易型オムツ交換ベッドは、所定の便鉢１のサイズからなる便器２及び便器２の上に載置される便座３を有する便器構成体１０と、便器構成体１０の上面に載置可能であり、便器構成体１０に軸支した支軸１１を中心に回動すると共に、便器構成体１０の上面に載置した状態でその上面に幼児が乗れるだけの機械的強度及び面積を持ち、便蓋としても機能する幼児乗せ板４，４０，５０を具備するものである。
【００２８】
したがって、幼児乗せ板４，４０，５０は、所定の便鉢１のサイズからなる便器２や、便器２の上に載置される便座を有する便器構成体１０よりも若干大きなサイズになるが、既存のトイレブース内の面積を広くすることなく設置可能であり、また、オムツ交換と便器２の両者の機能が使用可能となる。また、便座３の温度制御が幼児乗せ板４，４０，５０を熱負荷として機能し、熱エネルギーを無駄にすることなく、有効的な利用が可能となる。そのため、幼児乗せ板４，４０，５０にヒータを埋設しても、しなくても、適当な温度を維持することができる。
【００２９】
幼児乗せ板４，４０，５０は、便器構成体１０の支軸１１を中心に回動し、便蓋のように便座３または便器２の上面を開閉自在として便蓋としての機能を有するものである。また、便器構成体１０の上面に載置した状態で、その上面に幼児が乗れるだけの機械的強度及び面積を有するものである。
【００３０】
上記実施の形態の簡易型オムツ交換ベッドの幼児乗せ板４，４０，５０は、中央が低く、両側が高く形成されているものである。この中央が低く、両側が高くとは、連続的に形成されていてもよいし、不連続で急激的に変化する構造でもよい。この高さの違いは幼児の安全を問うもののみではなく、オムツ交換時に幼児の持ち物、親の持ち物が落下しないようにするものである。したがって、必ずしも、幼児の安全性のために障害となる高さまで両側の高さを形成する必要がない。また、中央を低くすることにより、安定感が増すが、更に、より安定性をよくするために幼児に対する滑り止めを設けることもできる。
【００３１】
上記実施の形態の簡易型オムツ交換ベッドの幼児乗せ板４，４０，５０には、ヒータ９が埋設され、少なくとも中央が暖房されているものである。このヒータ９の埋設は、幼児乗せ板４，４０，５０の底部４ｂ，４０ｂ，５０ｂの全面に限られるものではなく、中央部分のみとすることもできる。しかし、幼児乗せ板４，４０，５０の全面または中央部の比較的広い面積にヒータ９を埋設すると、幼児に冷たい思いをさせなくなるのみではなく、手洗い水等が幼児乗せ板４，４０，５０の上に落ちても、それを気化してくれる機能を持つことができる。
【００３２】
上記実施の形態の簡易型オムツ交換ベッドの便器構成体１０は、便器２及び便座３に加えて便器２に取り付けられて人体局部の洗浄に使用する人体局部洗浄機構を具備するものである。この人体局部洗浄機構は、温水または冷水を問うものではなく、ビデ機能の有無も問うものではない。
【図面の簡単な説明】
【００３３】
【図１】図１は本発明の実施の形態１の簡易型オムツ交換ベッドを示す側面図である。
【図２】図２は本発明の実施の形態１の簡易型オムツ交換ベッドを示す平面図である。
【図３】図３は図２の切断線Ａ−Ａによる本発明の実施の形態１の簡易型オムツ交換ベッドの断面図である。
【図４】図４は本発明の実施の形態２の簡易型オムツ交換ベッドを示す平面図である。
【図５】図５は図４の切断線Ｂ−Ｂによる本発明の実施の形態２の簡易型オムツ交換ベッドの断面図である。
【図６】図６は本発明の実施の形態３の簡易型オムツ交換ベッドを示す平面図である。
【図７】図７は本発明の実施の形態３の簡易型オムツ交換ベッドを示す側面図である。
【図８】図８は図６の切断線Ｃ−Ｃによる本発明の実施の形態３の簡易型オムツ交換ベッドの断面図である。
【符号の説明】
【００３４】
２        便器
３        便座
４，４０，５０      幼児乗せ板
４ａ，４０ａ，５０ａ    エッジ
４ｂ，４０ｂ，５０ｂ    底部
１０      便器構成体
【図１】
2007054289.tif 000003
【図２】
2007054289.tif 000004
【図３】
2007054289.tif 000005
【図４】
2007054289.tif 000006
【図５】
2007054289.tif 000007
【図６】
2007054289.tif 000008
【図７】
2007054289.tif 000009
【図８】
2007054289.tif 000010